(57)【要約】【課題】合成樹脂製床材の剥離を手数を要さず容易に行えるようにし、かつ、剥離した合成樹脂製床材や床下地を損傷することなく、そのまま再利用することできるようにしながら、雨水等がかかる屋外や水を使用する屋内でも使用可能な合成樹脂製床材の施工方法を提供すること。【解決手段】床下地１にゴム系粘着剤を塗布して粘着面３を形成するとともに、粘着面３に合成樹脂製床材１を貼着し、合成樹脂製床材１の継目４及び端縁５を水密構造とする。【選択図】  図１
2005054391.tif 000002
【特許請求の範囲】
【請求項１】
合成樹脂製床材を床下地に貼着する合成樹脂製床材の施工方法において、床下地にゴム系粘着剤を塗布して粘着面を形成するとともに、該粘着面に合成樹脂製床材を貼着し、合成樹脂製床材の継目及び端縁を水密構造としたことを特徴とする合成樹脂製床材の施工方法。
【請求項２】
合成樹脂製床材の裏面にゴム系粘着剤を塗布して粘着面を形成することを特徴とする請求項１記載の合成樹脂製床材の施工方法。
【請求項３】
ゴム系粘着剤に、スチレン・ブタジエン共重合体系溶剤型粘着剤又はスチレン・ブタジエン・スチレンブロック共重合体系溶剤型粘着剤を用いることを特徴とする請求項１又は２記載の合成樹脂製床材の施工方法。
【請求項４】
合成樹脂製床材の継目及び／又は端縁に耐水性を有するシーリング剤を配して水密構造としたことを特徴とする請求項１記載の合成樹脂製床材の施工方法。
【請求項５】
シーリング剤に、ウレタン樹脂系又はシリコン系シーリング剤を用いることを特徴とする請求項４記載の合成樹脂製床材の施工方法。
【請求項６】
床下地に、塗膜防水処理を施すことを特徴とする請求項１、２、３、４又は５記載の合成樹脂製床材の施工方法。
【発明の詳細な説明】
【０００１】
【発明の属する技術分野】
本発明は、合成樹脂製床材の施工方法に関し、特に、塩化ビニル樹脂、ポリオレフィン樹脂等の合成樹脂製床材を床下地に貼着する合成樹脂製床材の施工方法に関するものである。
【０００２】
【従来の技術】
従来、合成樹脂製床材は、その上を歩行等することにより、合成樹脂製床材がずれたり、剥がれたり、膨れたりしないように、合成樹脂製床材を床下地に接着剤を用いて強固に貼着するようにしていた。
【０００３】
しかしながら、合成樹脂製床材を床下地に接着剤を用いて強固に貼着するようにすると、メンテナンス時における合成樹脂製床材の取り外しや合成樹脂製床材の交換の際に、合成樹脂製床材の剥離に手数を要するとともに、合成樹脂製床材や床下地を損傷し、そのまま再利用することが困難になるという問題があった。
【０００４】
ところで、この問題に対処するため、専ら室内で用いられる表面にカーペツトを施した床材においては、合成樹脂製床材を床下地に粘着剤を用いて比較的緩やかに貼着する合成樹脂製床材の施工方法が提案され、実用化されている（例えば、特許文献１参照）。
【０００５】
【特許文献１】
特開平３−１７１７０号公報
【０００６】
【発明が解決しようとする課題】
しかしながら、合成樹脂製床材を床下地に粘着剤を用いて貼着するようにした場合、合成樹脂製床材と床下地間に水が浸透すると粘着剤の粘着力が極端に弱まるため、この施工方法は、専ら室内で用いられる表面にカーペツトを施した床材にしか用いることができないという問題があった。
【０００７】
本発明は、上記従来の合成樹脂製床材を床下地に粘着剤を用いて貼着する施工方法の有する問題点に鑑み、合成樹脂製床材の剥離を手数を要さず容易に行えるようにし、かつ、剥離した合成樹脂製床材や床下地を損傷することなく、そのまま再利用することできるようにしながら、雨水等がかかる屋外や水を使用する屋内でも使用可能な合成樹脂製床材の施工方法を提供することを目的とする。
【０００８】
【課題を解決するための手段】
上記目的を達成するため、本発明の合成樹脂製床材の施工方法は、合成樹脂製床材を床下地に貼着する合成樹脂製床材の施工方法において、床下地にゴム系粘着剤を塗布して粘着面を形成するとともに、該粘着面に合成樹脂製床材を貼着し、合成樹脂製床材の継目及び端縁を水密構造としたことを特徴とする。
【０００９】
この合成樹脂製床材の施工方法は、床下地にゴム系粘着剤を塗布して粘着面を形成するとともに、該粘着面に合成樹脂製床材を貼着し、合成樹脂製床材の継目及び端縁を水密構造としているので、メンテナンス時における合成樹脂製床材の取り外しや合成樹脂製床材の交換の際に、合成樹脂製床材の剥離を手数を要さず容易に行え、かつ、剥離した合成樹脂製床材や床下地を損傷することなく、そのまま再利用することできるとともに、合成樹脂製床材と床下地間に水が浸透し難く、雨水等がかかる屋外や水を使用する屋内でも使用可能で、耐久性の高い合成樹脂製床材の貼着構造とすることができる。
【００１０】
この場合において、合成樹脂製床材の裏面にゴム系粘着剤を塗布して粘着面を形成することができる。
【００１１】
これにより、床下地に形成した粘着面と、合成樹脂製床材の裏面に形成した粘着面とが、一体的に密着することによって貼着強度が向上し、水密性が向上することと相俟って、合成樹脂製床材がずれたり、剥がれたり、膨れたりすることを確実に防止することができる。
【００１２】
また、ゴム系粘着剤に、スチレン・ブタジエン共重合体系溶剤型粘着剤又はスチレン・ブタジエン・スチレンブロック共重合体系溶剤型粘着剤を用いることができる。
【００１３】
これにより、塩化ビニル樹脂、ポリオレフィン樹脂等からなる各種の合成樹脂製床材を床下地に確実に貼着することができる。
【００１４】
また、合成樹脂製床材の継目及び／又は端縁に耐水性を有するシーリング剤を配して水密構造とすることができる。
【００１５】
これにより、合成樹脂製床材の継目及び／又は端縁の耐水性を確実に維持し、合成樹脂製床材と床下地間に水が一層浸透し難くすることができるとともに、万一、合成樹脂製床材と床下地間に水が浸透した場合でも、シーリング部の位置で水の浸透を塞き止め、水の浸透が広範囲に広がることを確実に防止することができる。
【００１６】
また、シーリング剤に、ウレタン樹脂系又はシリコン系シーリング剤を用いることができる。
【００１７】
これにより、塩化ビニル樹脂、ポリオレフィン樹脂等からなる各種の合成樹脂製床材の継目及び／又は端縁の耐水性を確実に維持することができる。
【００１８】
さらに、床下地に、塗膜防水処理を施すことができる。
【００１９】
これにより、水の浸透を防止して、貼着強度が低下することを防止することができる。
【００２０】
【発明の実施の形態】
以下、本発明の合成樹脂製床材の施工方法の実施の形態を図面に基づいて説明する。
図１〜図２に、本発明の合成樹脂製床材の施工方法により施工した合成樹脂製床材を使用した床構造の一例を示す。
この合成樹脂製床材の施工方法は、塩化ビニル樹脂、ポリオレフィン樹脂等からなる各種の合成樹脂製床材２を床下地１に貼着する合成樹脂製床材の施工方法に関するものであって、床下地１にゴム系粘着剤を塗布して粘着面３を形成するとともに、この粘着面３に合成樹脂製床材２を貼着し、合成樹脂製床材２の継目及び端縁を水密構造としたものである。
【００２１】
この場合、合成樹脂製床材２の裏面にもゴム系粘着剤を塗布して粘着面３’を形成することもでき、これにより、床下地１に形成した粘着面３と、合成樹脂製床材２の裏面に形成した粘着面３’とが、一体的に密着することによって貼着強度が向上し、水密性が向上することと相俟って、合成樹脂製床材２がずれたり、剥がれたり、膨れたりすることを確実に防止することができる。
【００２２】
また、粘着面３、３’を構成するゴム系粘着剤には、シリコン系、塩化ビニル系、アクリル系等の溶剤型やエマルジョン型等の粘着剤を、その種類を限定することなく用いることができるが、その中でも、スチレン・ブタジエン共重合体（ＳＢＲ）系溶剤型粘着剤又はスチレン・ブタジエン・スチレンブロック共重合体（ＳＢＳ）系溶剤型粘着剤を好適に用いることができる。
具体的には、スチレン・ブタジエン共重合体（ＳＢＲ）又はスチレン・ブタジエン・スチレンブロック共重合体（ＳＢＳ）６０〜９０重量％、より好ましくは、７０〜８０重量％、ポリテンペン樹脂、ロジン、クロマン樹脂等の樹脂成分１０〜４０重量％、より好ましくは、２０〜３０重量％（いずれも、不揮発成分全体に対する割合）と、ＭＥＫ等のケトン系、ｎ−ヘキサン、トルエン等の溶剤（揮発成分）とからなる粘着剤（不揮発成分と溶剤（揮発成分）との割合は、作業性等を勘案して任意に設定できるが、不揮発成分５０〜５５重量％、溶剤（揮発成分）４５〜５０重量％が好ましい）をより好適に用いることができる。
なお、粘着面３、３’の貼着強度は、粘着剤を塗布するクシ目のこてのピッチを適宜選定することによって塗布する粘着剤の量を増減すること等により、容易に調整することができる。
【００２３】
ところで、本実施例においては、合成樹脂製床材２の継目は、溶接棒や有機溶剤を用いた溶接部４によって水密構造とし、合成樹脂製床材２の端縁は、耐水性を有するシーリング剤を配したシーリング部５によって水密構造としているが、合成樹脂製床材２の継目を、床下地１まで達するようにシーリング剤を配したシーリング部によって水密構造とすることもできる。
これにより、合成樹脂製床材２の継目及び／又は端縁の耐水性を確実に維持し、合成樹脂製床材２の継目を、床下地１まで達するようにシーリング剤を配したシーリング部によって水密構造とした場合には、合成樹脂製床材２と床下地１間に水が一層浸透し難くすることができるとともに、万一、合成樹脂製床材２と床下地１間に水が浸透した場合でも、シーリング部の位置で水の浸透を塞き止め、水の浸透が広範囲に広がることを確実に防止することができる。
【００２４】
シーリング剤には、ウレタン樹脂系又はシリコン系シーリング剤を好適に用いることができ、これにより、塩化ビニル樹脂、ポリオレフィン樹脂等からなる各種の合成樹脂製床材の継目及び／又は端縁の耐水性を確実に維持することができる。
【００２５】
さらに、床下地１に、例えば、ウレタン樹脂系等による塗膜防水処理を施した後、ゴム系粘着剤を塗布して粘着面３を形成することができる。
この場合、塗膜防水処理は、床下地１の全面に施すほか、床下地１自体からの水の浸透がない、例えば、階上の床下地の場合には、合成樹脂製床材２の端縁の周囲等に部分的に施すようにすることができる。
これにより、床下地１自体及び周囲からの水の浸透を防止して、粘着面３の貼着強度が低下することを防止することができる。
【００２６】
以上、本発明の合成樹脂製床材の施工方法について、その実施例に基づいて説明したが、本発明の合成樹脂製床材の施工方法は、上記実施例の記載に限定されるものではなく、例えば、合成樹脂製床材として、上記実施例において用いているタイル状の床材に代えて、長尺シート状の床材を用いるようにする等、その趣旨を逸脱しない範囲において適宜に変更することが可能である。
【００２７】
【発明の効果】
本発明の合成樹脂製床材の施工方法によれば、床下地にゴム系粘着剤を塗布して粘着面を形成するとともに、該粘着面に合成樹脂製床材を貼着し、合成樹脂製床材の継目及び端縁を水密構造としているので、メンテナンス時における合成樹脂製床材の取り外しや合成樹脂製床材の交換の際に、合成樹脂製床材の剥離を手数を要さず容易に行え、かつ、剥離した合成樹脂製床材や床下地を損傷することなく、そのまま再利用することできるとともに、合成樹脂製床材と床下地間に水が浸透し難く、雨水等がかかる屋外や水を使用する屋内でも使用可能で、耐久性の高い合成樹脂製床材の貼着構造とすることができ、メンテナンスがし易く、例えば、デザイン性の高いタイル状の床材を適宜組み合わせて用いるようにする等、設計の自由度の大きい合成樹脂製床材を使用した床構造を提供することができる。
【００２８】
また、合成樹脂製床材の裏面にゴム系粘着剤を塗布して粘着面を形成することにより、床下地に形成した粘着面と、合成樹脂製床材の裏面に形成した粘着面とが、一体的に密着することによって貼着強度が向上し、水密性が向上することと相俟って、合成樹脂製床材がずれたり、剥がれたり、膨れたりすることを確実に防止することができる。
【００２９】
また、ゴム系粘着剤に、スチレン・ブタジエン共重合体系溶剤型粘着剤又はスチレン・ブタジエン・スチレンブロック共重合体系溶剤型粘着剤を用いることにより、塩化ビニル樹脂、ポリオレフィン樹脂等からなる各種の合成樹脂製床材を床下地に確実に貼着することができる。
【００３０】
また、合成樹脂製床材の継目及び／又は端縁に耐水性を有するシーリング剤を配して水密構造とすることにより、合成樹脂製床材の継目及び／又は端縁の耐水性を確実に維持し、合成樹脂製床材と床下地間に水が一層浸透し難くすることができるとともに、万一、合成樹脂製床材と床下地間に水が浸透した場合でも、シーリング部の位置で水の浸透を塞き止め、水の浸透が広範囲に広がることを確実に防止することができる。
【００３１】
また、シーリング剤に、ウレタン樹脂系又はシリコン系シーリング剤を用いることにより、塩化ビニル樹脂、ポリオレフィン樹脂等からなる各種の合成樹脂製床材の継目及び／又は端縁の耐水性を確実に維持することができる。
【００３２】
さらに、床下地に、塗膜防水処理を施すことにより、水の浸透を防止して、貼着強度が低下することを防止することができる。
【図面の簡単な説明】
【図１】本発明の合成樹脂製床材の施工方法により施工した合成樹脂製床材を使用した床構造の一例を示し、（ａ）は平面図、（ｂ）は（ａ）のＡ部の拡大断面図、（ｃ）は（ａ）のＢ部の拡大断面図である。
【符号の説明】
１  床下地
２  合成樹脂製床材
３  粘着面
４  合成樹脂製床材の継目（溶接部又はシーリング部）
５  シーリング部
【図１】
2005054391.tif 000003